Podtech/llm-jp-corpus-v4-ja_patent huggingface dataset:
(57)【要約】
【課題】  従来の冷陰極蛍光ランプのカップ形電極とリード線の溶着方法は底面が平坦なカップ形電極とリード線を溶接する方法で電極とリード線のセンターを合せて溶着する事が困難で溶接が不完全となり、溶着の精度が悪化し、歩留まりが低下する事が課題となっていた。
【解決手段】  本考案によりカップ形電極の底面をリード線先端の溶着部と同じ形状の凹に成形し、リード線先端を誘い込むテーパー形状にすることによりカップ形電極とリード線のセンター合せが出来、容易に課題を解決できる。
【選択図】  図６
0003101379.tif 000002
【実用新案登録請求の範囲】
【請求項１】
冷陰極蛍光ランプのカップ形電極底面に凹を成形し、リード線との溶接精度を満足させる事を目的とした冷陰極管用カップ形電極の底形状
【考案の詳細な説明】
【技術分野】
【０００１】本発明は、液晶表示器のバックライトなどに使用される冷陰極蛍光ランプ関するものであり、詳細には、冷陰極蛍光ランプのカップ形電極底面とリードをレーザーなどで溶接する時の生産歩留まりを向上させるためのカップ形電極の底形状に係わるものである。
【背景技術】
【０００２】従来の一般的な冷陰極蛍光ランプの構造を示すものが図１であり、ガラス管１０とガラスビード１１（一対）とで管状バルブが形成され、ガラスビード１１を貫通してリード線２（一対）が封着されている。管状バルブ内のリード線２（一対）の先端部にカップ形状の電極１がレーザー溶接などにより装着されている。管状バルブ内は、蛍光体塗膜が施され、不活性ガスと水銀が封入されて冷陰極蛍光ランプが構成されている、冷陰極蛍光ランプは既に公知なので説明を省略する。【０００３】前記した冷陰極蛍光ランプの構造形成において、従来のカップ形電極装着方法を示すのが図２であり、金属板を絞り技術で成形されたカップ形電極１の底面に冷陰極蛍光ランプのリード線２の先端を押し当てカップの中からレーザーで溶接を行うか、又は、抵抗溶接で溶着する。
【考案の開示】
【考案が解決しようとする課題】
【０００４】図３はカップ形電極１とリード線２が正確に中心に有り、レーザーの光軸２０も中心に有った場合の良品形状である。【０００５】図４は溶接時にカップ形電極１の中心とリード線２の中心があっていない状態を説明し、溶接方法としてレーザー溶接した場合、レーザーの光軸２０はカップ形電極１の中心に有り、リード線２の中心軸が偏っていた場合の溶融形状１ｃは図の如く偏り、溶接強度を著しく弱くする。【０００６】リード線２をカップ形電極１の中心にセットするためには図５のカップ形電極１を囲む治具２０とリード線２を囲む治具２１で構成された溶接装置が必要であるがカップ形電極１の底面とガラスビード１１の間は非常に狭く治具２１の製作および寿命が問題であった。【０００７】また、溶接時の酸化防止のために溶接部に不活性ガスを治具内に封入するが治具２１のために封入が困難であった。【０００８】さらにリード線を囲む治具２１はレーザー溶接では溶融形状１ｃと溶着する場合もあり、溶接時の溶接パワーの管理が非常に困難である。
【課題を解決するための手段】
【０００９】本考案は、前記した従来の課題を解決するための具体的な手段として、図６で示すように、リード線２の先端溶接部の形状と同じ凹形状１ａをカップ形電極１の底面中心に成形し、尚且つリード線２を凹面に誘導するテーパー部１ｂを形成し、従来の課題を解決するものである。
【考案の効果】
【００１０】リード線２の先端溶接部の形状と同じ凹形状１ａをカップ形電極１の底面中心に成形し、尚且つリード線２を凹面に誘導するテーパー部１ｂを形成したカップ形電極１にリード線２を溶接する場合は図５で説明した治具２１が不用になり、溶接装置の簡素化が可能となる。また、カップ形電極１の底面とガラスビード１１との隙間にまんべんなく不活性ガス雰囲気が作れ、溶接条件の安定化を図ることが出来、歩留まりの向上と、生産性の向上に極めて優れた効果を生むものである。
【考案を実施するための最良の形態】
【００１１】リード線２の先端溶接部の形状と同じ凹形状１ａをカップ形電極１の底面中心に成形した電極にリード線２を押し付け、レーザー溶接の場合はリード線中心、つまりカップ形電極１の凹面１ａの中心にレーザー照射ポイントを合わせ溶接する。
【実施例】
【００１２】電極の材質がモリブデンなどの灘溶接材の場合はリード線全周に溶着しなければ溶接強度を保てなくなるので前記での説明の様にリード線中心にレーザー照射ポイントを合わせることは重要である。また、抵抗溶接の場合も熱伝達をカップ電極の中心とリード線中心に合わせる事により良好な溶接が可能となる。
【産業上の利用可能性】
【００１３】この考案は冷陰極蛍光ランプ全般に利用され、特に大型液晶テレビ等のバックライトには長尺な冷陰極蛍光ランプが必要となり、ランプの高輝度化、長寿命化のため電極の材質がモリブデン、リード線の材質がタングステンやモリブデンなどの灘溶接材に変わりつつあり生産性の向上のためには、この考案が極めて重要で必要である。
【図面の簡単な説明】
【００１４】
【図１】一般的な冷陰極蛍光ランプの構造を説明する図である。
【図２】一般的な冷陰極蛍光ランプの電極部の説明図である。
【図３】正確に溶接された説明図である。
【図４】カップ電極とリード線の中心がずれて溶接された説明図である。
【図５】電極溶接治装置の構造を説明する図である。
【図６】本考案のカップ形電極とリード線の構成を示す図である。
【符号の説明】
【００１５】    １  ・・・・・・・カップ形電極
１ａ・・・・・・・カップ形電極底面形状
１ｂ・・・・・・・カップ形電極底面テーパー形状
１ｃ・・・・・・・カップ形電極底面溶着形状
２  ・・・・・・・リード線
１０・・・・・・・ガラス管
１１・・・・・・・ガラスビード
２０・・・・・・・カップを囲む治具
２１・・・・・・・リードを囲む治具
【図１】
0003101379.tif 000003
【図２】
0003101379.tif 000004
【図３】
0003101379.tif 000005
【図４】
0003101379.tif 000006
【図５】
0003101379.tif 000007
【図６】
0003101379.tif 000008
【手続補正書】
【提出日】平成15年12月5日(2003.12.5)
【手続補正１】
【補正対象書類名】実用新案登録請求の範囲
【補正対象項目名】全文
【補正方法】変更
【補正の内容】
【実用新案登録請求の範囲】
【請求項１】
冷陰極蛍光ランプのカップ形電極底面にリード線を誘導するテーパー部を持つ凹を成形し、リード線との溶接精度を満足させる事を目的とした冷陰極管用電極
(57)【要約】
【目的】  従来の蓋は開閉ボタンだけで自由に開くことが出来た。したがって無防備だった。それにロック機構を取付けて、当事者しか開けない様にした。
【構成】  蓋１の開閉ボタン３や本体２に※ロック機構４を取付けた。
【選択図】  図１
0003101378.tif 000002
【実用新案登録請求の範囲】
【請求項１】
ノート型パソコンの蓋や本体にロック機構を取付けたノート型パソコン。
【考案の詳細な説明】
【考案の詳細な説明】
この考案はノート型パソコンの蓋や本体にロック機構を取付けたものである。
従来のノート型パソコンは、ソフト面での保護はなされていてもハード側のセキュリティーは無防備であり、知識のある者なら簡単に進入出来るものであった。
本考案は、その欠点を除くために当事者しか開けない様に※ロック機構を取付けたもので、それを図面について説明すれば、蓋１に付いている開閉ボタン３や本体２に※ロック機構４を取付けたものである。
本考案はこの様な構造であるから、当事者以外は開くことが出来ずセキュリティーは確保され、本来の機能を使うのになんらさしつかえない。
※ロック機構４、鍵、番号合わせキー、電子ロック、音声、指紋認識等周知の構造。
【図面の簡単な説明】
【図１】本案の斜視図である。
【符号の説明】
１は蓋、２は本体、３は開閉ボタン、４はロック機構、
【図１】
0003101378.tif 000003
(57)【要約】      （修正有）【課題】本考案は、各種スプレー缶等の保管収納用ホルダーを壁掛け式に、マグネットを利用して、誰でも簡単に装着出来る事を提供する。【解決手段】ネジ穴付ホルダー本体１に支持アーム２と、容器支持台３を設け、さらにホルダー本体の内部にマグネット４を配設固定して装着する。【選択図】図１
0003101373.tif 000002
【実用新案登録請求の範囲】
【請求項１】
ネジ穴付ホルダー本体（１）に支持アーム（２）と、容器支持台（３）を設け、さらにホルダー本体（１）の内部にマグネット（４）を配設装着してなるホルダー。
【考案の詳細な説明】
【考案の詳細な説明】
【技術分野】
【０００１】  本考案は、消火器スプレー缶を壁掛式に簡単取付収納、簡単取出を可能にした、缶類のホルダーに関するものである。
【背景技術】
【０００２】  従来、身の回りの壁等に缶ホルダーを取付ける手段として、多くは壁にネジ止めしていた。また、近年マグネットを利用した登録実用ＮＯ．３０２７３９３号のごとく、壁に取付けたマグネット缶ホルダーにて、スプレー缶を磁力で吸着させて、収納保管できて、それを使うときは簡単に取出せる、脱着容易な物がある。
【考案が解決しようとする課題】
【０００３】  しかしこれらは、ホルダー取付方法が壁に穴をあけるネジ止方式であるから、美麗な壁を傷つけてしまい、また金属壁に対しては取付ける手段として容易でなく、やはり壁に傷を作ってしまう。また、マグネットだけでスプレー缶を吸着させるには重量的に限界があり、一寸した原因でそれが、脱落外れる事が多かった。
本考案は、このような問題点を改善するためになされたものである。
【課題を解決するための手段】
【０００４】  ネジ穴付ホルダー本体（１）に、消火器スプレー缶（５）等が固定出来る、支持アーム（２）を一体にして設ける。おなじく容器支持台（３）を前記本体に一体にして設ける。これらは、合成樹脂類等で一体に成型されるのがベストである。そしてさらに、前記本体（１）の内部の適当なる位置にマグネット（４）を配設固定する。本考案によれば、このマグネット（４）は日東産業株式会社の特開２００３−１３３１２６「磁石付き留め具」により開発された、磁石全面が合成樹脂で被覆されたネオジューム材料主体の３０００ガウスの強力磁石を利用している。
本考案は、以上のような構成よりなるホルダーである。
【考案を実施するための最良の形態】
【０００５】  図１、図２で示す通りネジ穴付ホルダー本体（１）には、消火器スプレー缶（５）等をやんわりと保持する、支持アーム（２）と前記スプレー缶の底支えとしての、容器支持台（３）が設けられている。これらは、一体に形成されるように汎用プラスチック材料等で成型するのがより好ましい。さらに図２のごとく、本考案者が開発した、特開２００３−１３３１２６「磁石付き留め具」に使用されている、マグネット（４）を前記本体（１）の内部の適当なる位置に、配設して固定する。これも、前記ホルダー本体（１）に一体成型で形成されて配設固定されても良いし、前記ホルダー本体（１）に蓋等を設けて、マグネット（４）を配設してから、その蓋で被せて固定しても良い。
【実施例】
【０００６】  本考案は以上のような構成であり、図３のごとく室内の壁（６）、柱、厨房、冷蔵庫、その他いろいろな場所に壁掛タイプとして使用出来る。金属系壁等はそのまま、マグネット（４）の強力な磁力（７）により吸着されて、装着が容易になされる。【０００７】  次に、消火器スプレー缶（５）を、この装着した前記ホルダー本体（１）の支持アーム（２）に差込み、容器支持台（３）に乗せれば、前記ホルダー本体（１）のマグネット（４）は、前記スプレー缶にも磁力（７）が働き、壁側の磁力より、小さい吸着力であるが、しっかり動かないように保持できる。さらに、消火器スプレー缶（５）を使用する時は、簡単に掴み取るだけでよい。
また、マグネット（４）が効かない壁等には、従来通りのネジ止め方法および両面テープでとめる手段も可能にしている。
【考案の効果】
【０００８】  マグネットの吸着利用だから、壁などの内装を傷つけなくて済む。脱着が容易に出来る。マグネットによる磁力吸着を、取付け壁と前記スプレー缶とに利用している点である。このように付加価値が高い上に、加工等、施工方法が簡単でしかも、斬新なるデザインを取り入れても大量生産が出来るメリットがある。
【図面の簡単な説明】
【図１】  本考案の斜視図である。
【図２】  本考案の断面図である。
【図３】  本考案の実施図である。
【符号の説明】
１  ネジ穴付ホルダー本体
２  支持アーム
３  容器支持台
４  マグネット
５  消火器スプレー缶
６  壁
７  磁力
【図１】
0003101373.tif 000003
【図２】
0003101373.tif 000004
【図３】
0003101373.tif 000005
(57)【要約】
【課題】ワイヤーネット又は樹脂ネットを用い、窓ガラスに取り付けることによってガラスに付いた結露にカーテンが直接触れるのを防ぐ仕切りとして利用し、それを簡易に取り付け、取り外しができるようにしてカーテンの裾ぬれ防止を図ることを目的とする。
【解決手段】ワイヤーネット又は樹脂ネットの横にあたる部分に上下数個の吸盤を用い、吸盤の基部に通すか、はさみ込み、窓ガラスの結露の出来易い下方部分に吸着させ仕切りとして取り付けることを特徴とするカーテンの裾ぬれ防止具である。
【選択図】図３
0003101371.tif 000002
【実用新案登録請求の範囲】
【請求項１】
ワイヤーネット又は樹脂ネットに吸盤を固定取り付けし、カーテンとの仕切りとして付けることを特徴とするカーテン裾ぬれ防止具。
【請求項２】
スリガラスや凹凸ガラスに吸盤が付かない場合、吸盤補助具を用い吸着させ固定することを特徴とする請求項１に記載のカーテン裾ぬれ防止具。
【考案の詳細な説明】
【技術分野】
【０００１】  本考案はワイヤーネット又は樹脂ネット、吸盤からなるカーテン裾ぬれ防止具。
【背景技術】
【０００２】  従来の技術はガラスに結露が出来るのを防ぐ目的で凹凸ビニールシートをガラスに両面テープで貼ったりするものであるが、ビニールとガラスとの間に空気層が少ないため結露が出来やすく、両面テープで貼っているために取り外しが困難である。この考案は、結露が出来るのを防ぐのが目的ではなく、結露が出来る為にカーテンの濡れや汚れを防ぐのを目的とした考案である。
【考案の開示】
【考案が解決しようとする課題】
【０００３】  本考案は、ワイヤーネット又は樹脂ネットを用い窓ガラスに固定取り付けすることにより、窓ガラスの結露に、窓の開閉、カーテンの開閉時に直接カーテンが触れるのを防ぎ、それを簡単に取り付け、取り外しが出来るようにして防止を図る目的とする。
【課題を解決するための手段】
【０００４】  ワイヤーネット又は樹脂ネットに吸盤を取り付け、ガラス窓の結露しやすい箇所、下方部分に吸盤のついたネットを吸着固定し、窓ガラスとカーテンとの間の仕切りとし、これにより上記課題を解決するものである。【０００５】  窓ガラスの開閉時に交差する外側のガラスに吸着させた吸盤の基部に内側のガラス窓枠があたるのを防ぐ為に吸盤の基部が薄く小さい物を用い、スリガラスや凹凸ガラスに吸盤が付きにくい場合、吸盤補助具を用い吸着させる。
【考案の効果】
【０００６】  この考案は、カーテン裾ぬれ防止具として窓ガラスにワイヤーネット又は樹脂ネットを吸盤で固定し、カーテンとの仕切りと使用したことにより窓ガラスの開閉、カーテン開閉時に結露の付いた窓ガラスに直接触れず、又はネットなので通風の邪魔にならず随時取り外すことが出来、ガラス掃除やカーテンの洗濯も容易に行われ、さらに冬季以外は取り外しておくことが容易にできる。【０００７】  ワイヤーネット又は樹脂ネットは、格子模様だけ以外に鳥、動物、花、木などの模様をあしらったネットを使えば飾りや窓の目隠しなど冬期だけ以外にも使用することが出来る。
【考案を実施するための最良の形態】
【０００８】  考案の実施例として、窓ガラス（Ｃ）に付けるワイヤーネット又は樹脂ネット（図１）に取り付け具として吸盤（図２）を用い基部（Ｂ）に設けた穴、ミゾ（Ｅ）を利用し通すか、はさみ込み固定する。全体的には数個の取り付け具の吸盤（Ｑ１〜Ｑ６）図３を取り付ける。【０００９】  図３は、ワイヤーネット又は樹脂ネット（Ａ）に吸盤（Ｑ１〜Ｑ６）で窓ガラス（Ｃ）の内部側の下方部分に（図３）を取り付け固定使用するものである。両面テープなどを用いることもできるが、吸盤（Ｑ１〜Ｑ６）の場合いずれにしても脱着が容易自在である。
【実施例１】
【００１０】
【産業上の利用可能性】
【００１１】  一般家庭に問わず、大きい窓やはきだし窓など、カーテンをしようしている窓には使用可能である。
【図面の簡単な説明】
【００１２】
【図１】本考案に係るワイヤーネット又は樹脂ネットと吸盤の構成を示す図である。
【図２】ワイヤーネット又は樹脂ネットと吸盤との実施図である。
【図３】本考案に係る、カーテン裾ぬれ防止具を窓ガラスに適用した正面図である。
【符号の説明】
【００１３】Ａ    ワイヤーネット又は樹脂ネット
Ｑ１〜Ｑ６    吸盤
Ｂ    基部
Ｃ    窓ガラス
Ｄ    ガラス窓枠
Ｅ    穴、ミゾ
【図１】
0003101371.tif 000003
【図２】
0003101371.tif 000004
【図３】
0003101371.tif 000005
【手続補正書】
【提出日】平成15年11月27日(2003.11.27)
【手続補正１】
【補正対象書類名】実用新案登録請求の範囲
【補正対象項目名】請求項１
【補正方法】変更
【補正の内容】
【請求項１】
ワイヤーネット又は樹脂ネットに吸盤を固定取付けし、カーテンとの仕切りとしてつけることを特徴とするカーテン裾ぬれ防止具。
【手続補正２】
【補正対象書類名】実用新案登録請求の範囲
【補正対象項目名】請求項２
【補正方法】変更
【補正の内容】
【請求項２】
スリガラスや凸凹ガラスに吸盤がつかない場合、吸盤よりひとまわり大きく薄い樹脂板で片面はガラスに張るために粘着があり片面は吸盤が吸着しやすい滑らかな面の樹脂板を用い吸着させ固定することを特徴とする請求項１に記載のカーテン裾ぬれ防止具。
【手続補正３】
【補正対象書類名】明細書
【補正対象項目名】０００５
【補正方法】変更
【補正の内容】
【０００５】  窓ガラスの開閉時に交差する外側のガラスに吸着させた吸盤の基部に内側のガラス窓枠があたるのを防ぐ為に吸盤の基部が薄く小さい物を用い、スリガラスや凸凹ガラスに吸盤が付きにくい場合、吸盤よりひとまわり大きく樹脂板で片面はガラスに張るために粘着があり片面は吸盤が吸着しやすい滑らかな面の樹脂板を用い吸着させる。
(57)【要約】【課題】  本考案は、車いすによる悪路・障壁・砂利道・溝・砂浜・雪上・芝生の走行など、車いすによる自力走行を可能にし、衣服の汚れ防止、手の不衛生解消、介助者の負担軽減を図り、障害者の豊かな日常生活の向上につながるものとする。【解決手段】  本考案は、２のハンドグリップ付リムから４のシンクロ機材を介して５のギヤ付駆動輪を回転させ７のキャタピラ型タイヤに連動させることによる砂利道・溝・砂浜・雪上・芝生の走行など、車いすによる自力走行を可能にし、２のハンドグリップ付リム及び３のハンドグリップにより衣服の汚れ防止、手の不衛生を解消し、８のバネを用いることにより腰への負担軽減につながることから障害者の豊かな日常生活の向上に貢献できるものとする。【選択図】  図１
0003101889.tif 000002
【実用新案登録請求の範囲】
【請求項１】
ハンドリムを車輪から独立させハンドグリップ付リムとし、車輪部分には、ハンドグリップ付リムと連動するギヤ付駆動輪を支点にその前後に小駆動輪を装着し、ギヤ付駆動輪及び小駆動輪のタイヤ部分にキャタピラ型タイヤを装着することにより、比較的平易に日常生活の中で悪路及び障壁である砂利道・溝・砂浜・雪上・芝生の走行など、車いすによる自力走行を可能にした悪路走行自走式手動式普通型車いす
【考案の詳細な説明】
【技術分野】
【０００１】  本考案は、車いすによる悪路走行を可能にし衣服の汚れ防止、手の不衛生解消、介助者の負担軽減等、障害者の日常生活の向上に貢献するため、車いすの車輪を６輪装着しタイヤ部分をキャタピラ形状にし、従来車輪に取り付けられているハンドリムを独立させハンドグリップ付のリムで手回し駆動させる車いすに関するものである。
【背景技術】
【０００２】    従来の車いすの大半が、車輪一体型のハンドリムを手回しして走行するため車輪による衣服の汚れ、手の不衛生さは否めないものがある。特に多種多様の車いすがある中で砂利道・溝・砂浜・雪上・芝生などの悪路・障壁に対しての車いす走行はきわめて困難を要している。車いす利用者が海等の砂浜や砂道、雪国での雪道やスノーシーズンの雪上等、神社仏閣への参詣・砂利道・芝生の走行等に於ける自力での行動が制約され、自立した社会活動や日常生活の中で生活の質を高めることが極めて困難を要する。
【考案の開示】
【考案が解決しようとする課題】
【０００３】  比較的平易に日常生活での悪路である砂利道・溝・砂浜・雪上・芝生の走行など、車いすによる自力走行を可能にし、衣服の汚れ防止、手の不衛生解消、介助者の負担軽減は、障害者の豊かな日常生活向上につながるものとなり、本考案により前述の欠点を解決しようとするものである。
【課題を解決するための手段】
【０００４】  本考案は、車いすの車輪を、従来にないギヤ付駆動輪を支点とした前後の小駆動輪にキャタピラ型タイヤを装着し、ハンドリムを車輪から独立させハンドグリップ付リムからの力の伝達を図りギヤ付駆動輪と連動させキャタピラ型タイヤを回転させることにより、衣服への跳ね上げ等の汚れを防止し、手の不衛生解消、介助者の負担軽減、悪路・障壁である砂利道・溝・砂浜・雪上・芝生の走行など、車いすによる自力走行を可能にすることにより問題点を解決している。
【考案の効果】
【０００５】  上述のように、本考案の悪路走行自走式手動式普通型車いすは、従来にないギヤ付駆動輪及び前後の小駆動輪のタイヤ部分にキャタピラ型タイヤを装着し、シンクロ機材及び歯車を用いハンドグリップ付リムから支点となるギヤ付駆動輪へ力の伝達を図ることにより、日常生活での悪路である砂利道・溝・砂浜・雪上・芝生の走行など、車いすによる自力走行を可能にし、衣服の汚れ防止、手の不衛生解消、介助者の負担軽減に役立つ。
【考案の実施するための最良の形態】
【０００６】  車いすを走行させるためにハンドグリップ付リムのハンドグリップを手回し回転させ、シンクロ機材を介してギヤ付駆動輪へ力の伝達を図り、キャタピラ型タイヤを回転させ上述の悪路・障壁の走行を可能にさせる。手回しリムには、スムースに力の伝達ができるように基軸となるハンドグリップを装着し、衣服の汚れ防止、手の不衛生解消となる。さらに、各駆動輪部にバネを装着することにより腰への負担軽減及び衝撃の防止となる。
【実施例】
【０００７】  以下、添付図面に従って一実施例を説明する。１は車いす本体、２は１の車いすを走行させるためのハンドグリップ付リムで、３はハンドグリップ付リムを回転させる基軸となるハンドグリップである。４は２のハンドグリップ付リムから５のギヤ付駆動輪へ力を伝達するためのシンクロ機材であり、５はギヤ付駆動輪、６はギヤ付駆動輪と連動する小駆動輪であり、７はキャタピラ型タイヤとなっている。これにより衣服の汚れ防止、手の不衛生さ解消及び上述の悪路・障壁を乗り越えられる車いすの走行を可能とする。【０００８】  ８は１の車いすのクッション性を高めるバネ部となっており、走行時の腰への負担を著しく軽減できるものとなる。【０００９】  本考案の一実施例は上述の如き構成からなるものであるから３のハンドグリップを回転させることにより２のハンドグリップ付リムから力の伝達を図り、４のシンクロ機材を介して５のギヤ付駆動輪と連動させることにより１の車いすを快適に走行させることは勿論であるが、介助者が１の車いすを押して介助する場合でも上述の悪路・障壁の走行に対して介助者の負担軽減に大きく貢献できるものであり、豊かな日常生活を向上させることができる。
【図面の簡単な説明】
【００１０】
【図１】本考案の悪路走行自走式手動式普通型車いすの一実施例を示す側面図である。
【図２】本車いすの正面図である。
【符号の説明】
【００１１】１  車いす本体
２  ハンドグリップ付リム
３  ハンドグリップ
４  シンクロ機材
５  ギヤ付駆動輪
６  小駆動輪
７  キャタピラ型タイヤ
８  バネ
【図１】
0003101889.tif 000003
【図２】
0003101889.tif 000004
(57)【要約】      （修正有）【課題】飲食店店員などが、汚れた手指をいつでも拭けるようにした、身に付けられるフタのないバッグである。【解決手段】ビニールなどの防水性生地や表面は布製でも内部は防水にしたフタのないバッグで、その中にいつも濡れた布などを入れておき、常時身に付けられるようにしたものである。なお、バッグの内部が縦に二重や三重などに区切られる場合がある。【効果】常に手指がすぐに拭けてお客様に安心を与えると共に、見栄えがよいフタのないバッグは一つのアクセサリーになり、店内を華やかにする。【選択図】図２
0003101837.tif 000002
【実用新案登録請求の範囲】
【請求項１】
飲食店店員などが手指を拭くために、濡れた布などを入れた腰のあたりに下げるビニール製などのフタのないバッグ
【考案の詳細な説明】
【考案の詳細な説明】
この実用新案は、飲食店店員などが接客中に、手指をいつでも拭けるようにした、常時身に付けられるフタのないバッグである。
従来は、腰などにぶら下げたタオルやハンケチ等で手を拭く程度であった。が昨今は、手指に対する関心が高まり、きちんと拭う必要が生じてきた。
そこで、いつでも手指を拭けるように、濡れた布などを入れたフタのないバッグを身につけられるようにしたのが、本考案である。
【図１】
が本請求の範囲になっている本体バッグである。バッグの上部にはフタはなく、常時手指が差し込めるように空けてある。バッグの生地はビニール製など防水性があるものを使用する。表面が布製などのことがあっても、内部は防水性で作る。また、バッグの内部は縦に二重や三重に区切り、台拭きなどを入れられるようにも出来る。
【図２】
本体バッグを身に付ける手法を表している。
▲１▼は、本体バッグを肩から化粧ヒモで吊るす方法を表す。
▲２▼は、バッグをバンド（腰ベルト）に吊るす方法である。
▲３▼は、バッグ本体にベルトを取り付けた方法である。
以上本考案は、このような構造であるから、いつも手拭きを入れたフタのないバッグが身に付けられ、手指が汚れたままで食べ物や飲み物を入れた食器を扱う所をお客様に見せなくても済むようになる。
【図面の簡単な説明】
【図１】  本考案のフタのない本体バッグ（二重の場合）の透視図である。
【図２】  ▲１▼は、本体バッグを化粧ヒモで吊るす場合の透視図である。  ▲２▼の１）は、本体バッグ裏面の透視図である。２）は、バッグをベルト止めた状態の側面図である。３）は、２）の状態の裏面の立面図である。  ▲３▼は、本体バッグとそれに取り付けられたベルトの透視図である。
【図１】
0003101837.tif 000003
【図２】
0003101837.tif 000004
(57)【要約】【課題】パソコンやワープロの原稿、メモスタンド等の紙立てに関するもので、比較的低年齢層から幅広く受け入れてもらえるようなペーパースタンドを提供しようとするものである。【解決手段】口部（１）が紙立てになっている動物の形の頭部（２）の角度を変える事で紙を立てることができる。楕円形の頭部の中心（５）を軸に回転させて生じる半径の差を頭部が上下する事によって吸収させ、違和感がなく動物の形が保たれる。【選択図】    図１
0003101835.tif 000002
【実用新案登録請求の範囲】
【請求項１】
口部が紙立てになっている動物の形の頭部の角度を変えることで紙を立てることができるペーパースタンドである。
【考案の詳細な説明】
【考案の詳細な説明】
【技術分野】
【０００１】この考案はパソコンやワープロの原稿、メモスタンド等の紙立てに関するものである。
【背景技術】
【０００２】従来、薄い紙を立てるには、カーブの付いた溝の切ってあるものかカーブの付いたクリップで挟むもの等であった。
【考案が解決しようとする課題】
【０００３】種々の紙立てのほとんどは機能面を取り上げたものが多く、動物の形を模したものがなかった。
本考案は比較的低年齢層からも受け入れてもらえるような形と、無機質な机上に癒し系の小物としても置ける。又ペーパースタンドとしても使用できるものである。
【課題を解決するための手段】
【０００４】口部（１）が紙立てになっている動物の形の頭部（２）の角度を変える事で紙を立てる事ができる。
本考案は以上のような構造のペーパースタンドである。
【考案実施の形態】
【０００５】以下、本考案の実施形態について説明する。
頭部（２）の後方下部（１０）に前後の約４分の１程スリット（３）を入れ薄い棒状の板（４）の上端を半回転できるように頭部のほぼ中心部（５）に取り付ける。胴体部（６）は首の部分に薄板（４）を差し込み上下動できる穴（７）を空け、薄板下部に空いている穴（８）に胴体中心部でピン（９）を差し込み、頭部（２）が抜け出さないようにする。
本考案は以上のような構造で、頭部を半回転させて口部（１）を上に向けることで、ペーパースタンドとして使用できる。
【考案の効果】
【０００６】楕円形の頭部の中心（５）を軸に回転させて生じる半径の差を胴体（６）とつないだ薄板（４）及び頭部（２）が上下する事によって吸収させる。胴体と頭部が離れない事で違和感なく動物の形が保たれる。
【図面の簡単な説明】
【図１】本考案の立体斜視図である。
【図２】左側面図である。
【図３】平面図である。
【図４】正面図である。
【符号の説明】
１  口部                    ７  胴体部の穴
２  頭部                    ８  薄板下部の穴
３  スリット                ９  ピン
４  薄い棒状の板            １０  頭部後方下部
５  頭部の中心部
６  胴体
【図１】
0003101835.tif 000003
【図２】
0003101835.tif 000004
【図３】
0003101835.tif 000005
【図４】
0003101835.tif 000006
(57)【要約】      （修正有）【課題】押し出し成形のコンクリート用樹脂型枠の空胴部に、コンクリートノロが侵入しないようにする。【解決手段】押し出し成形のコンクリート用樹脂型枠の空胴部に、予め発泡樹脂を充填3させることにより、コンクリートノロが侵入することを防いだ。【選択図】図３
0003101836.tif 000002
【実用新案登録請求の範囲】
【請求項１】
押し出し成形のコンクリート用樹脂型枠１の空胴部２に発泡樹脂３を注入充填したコンクリート用樹脂型枠。
【考案の詳細な説明】
【技術分野】
【０００１】  本考案は、建設工事に於ける、型枠工事に使用する押し出し成形のコンクリート用樹脂型枠で、空洞部へのコンクリートノロの侵入を防ぐ為、空洞部に発泡樹脂を充填させたコンクリート用樹脂型枠である。
【背景技術】
【０００２】  従来の押し出し成形のコンクリート用樹脂型枠は、押し出し成形時に形成される空胴部が中空のままであったが、この種のコンクリート用樹脂型枠には、コンクリートを打設の際、コンクリートノロが空胴部に侵入し、本来の目的の一つである軽量化が妨げられる、という問題を有していた。
【考案の開示】
【考案が解決しようとする課題】
【０００３】  解決しようとする問題は。
（イ）  押し出し成形のコンクリート用樹脂型枠の押し出し成形時に形成される空胴部に、コンクリートを打設する際、コンクリートノロが侵入し、押し出し成形のコンクリート用樹脂型枠の重量が増していた。
（ロ）  空胴部が中空のままであるため、設計強度は保てるものの、運搬時や建て込み時の衝撃荷重及び、コンクリート打設時の予想を越える荷重によって、割れやすく時には歪む欠点があった。
【課題を解決するための手段】
【０００４】  本考案は、押し出し成形のコンクリート用樹脂型枠の空胴部に注入式の発泡樹脂を充填させ、コンクリートノロが侵入することを防いだ。
【考案の効果】
【０００５】  本考案の効果として、本考案のコンクリート用樹脂型枠を用いてコンクリートを打設した場合、本考案のコンクリート用樹脂型枠の空胴部には既に発泡樹脂が充填されているので、コンクリートノロの侵入することがなく、軽いままで何回も使用できる。また空胴部に充填された発泡樹脂は、ある程度の圧縮強度を保持出来るので、コンクリート用樹脂型枠全体の強度を増強することが出来た、これにより、割れや歪みを少なくすることが出来た。
【考案を実施するための最良の形態】
【０００６】  以上の構成であるから、押し出し成形のコンクリート用樹脂型枠の空胴部に注入式の発泡樹脂を充填させることによって、上記に記した課題を解決しコンクリート型枠工事を経済的に有利に、かつ安全に施工することができる。
【図面の簡単な説明】
【０００７】
【図１】押し出し成形のコンクリート用樹脂型枠の斜視図である。
【図２】押し出し成形のコンクリート用樹脂型枠の空胴部の断面図である。
【図３】本考案の発泡樹脂を充填した押し出し成形のコンクリート用樹脂型枠の断面図である。
【符号の説明】
１  押し出し成形のコンクリート用樹脂型枠
２  コンクリート用の樹脂型枠の空胴部
３  空胴部に充填した発泡樹脂
【図１】
0003101836.tif 000003
【図２】
0003101836.tif 000004
【図３】
0003101836.tif 000005
(57)【要約】      （修正有）【課題】従来スーパーマーケット等小売業者で使用されているレジ袋は、乳白色ではあるが、買物の中身が見えやすい（生理用品等は二重包装）との難点があると共に、レジ袋としての利用方法しかなされてない為、ゴミ袋と同様有料化の動きがでている。また、インターネットが発達し、新聞を配達してもらう家庭が減少している時代、新聞広告・折込ちらしの効果は薄れてくる。【解決手段】レジ袋に、広告掲載を行う事により、中身を見え難くする。また、レジ袋・ゴミ袋に広告掲載をする事により、利用しやすく制作し、コストダウンが図れるものとなる。また、家庭への告知手段とし、新聞広告やチラシが利用されていたが、今後インターネットの発達により、新聞が家庭に届けられる部数が激減することは明白である。よって、レジ袋・ゴミ袋に広告を掲載し、新聞に替わる、告知伝達手段に利用する。【選択図】図１
0003101841.tif 000002
【実用新案登録請求の範囲】
【請求項１】
レジ袋・ゴミ袋に広告を掲載（アド・ポン）によって、利用しやすく、コストダウンを図り、新聞に替わる広告手段として利用する。
【考案の詳細な説明】
【０００１】
【考案が解決しようとする課題】
現在のレジ袋・ゴミ袋は、乳白色や透明の袋に自社のロゴマーク等を印刷しているだけであり、用途に合わせた使い分けがし難かった。また、制作費用がかかり過ぎており、そのしわよせは、一般家庭に及んでいる。
【０００２】
【課題を解決しようとする手段】
従来のレジ袋・ゴミ袋は、袋としての役割しか果さず、コストがかかる事もあり、有料化の運びとなっているが、広告掲載をする事により、用途の使い分けがし易くなり、コストダウンをする事が出来る。
【０００３】
【考案の効果】
これまで一般家庭への、広告手段として、新聞が利用されていたが、インターネットの普及により、新聞を家庭まで届けてもらう一般家庭が減少している中、レジ袋・ゴミ袋に広告掲載をする事により従来の広告方法を進化させることが出来る。
0003101841.tif 000003
0003101841.tif 000004
【手続補正書】
【提出日】平成14年12月10日(2002.12.10)
【手続補正２】
【補正対象書類名】明細書
【補正対象項目名】実用新案登録請求の範囲
【補正方法】変更
【補正の内容】
【実用新案登録請求の範囲】
【請求項１】
・レジ袋（小売店にて買い物をして、商品を入れてくれる袋）に広告掲載する事により、小売店のコストダウンを計ることができる。
・ごみ袋（分別ごみ袋）が有料化となっており、個人の家庭にかなりの負担がかかっている。ごみ袋に広告掲載する事により、ごみ袋のコストダウンを計ることができる。
・レジ袋のコストを下げる為に、１色刷りの袋が多く、デザイン性にも欠けていたが、広告掲載する事により、デザイン性に富んだ袋となり、新聞広告に変わる広告媒体として利用。
・ごみ袋は分別する為に、印刷文字の色を変えているので、その色を利用し、広告掲載をする。
【手続補正３】
【補正対象書類名】明細書
【補正対象項目名】図面の簡単な説明
【補正方法】追加
【補正の内容】
【図面の簡単な説明】
【図１】・レジ袋（表面・裏面）
【図２】・ごみ袋（表面・裏面）
【符号の説明】
１．広告面
２．分別ごみの内容（もえるごみ・燃えないごみ等）


【手続補正４】
【補正対象書類名】図面
【補正対象項目名】全図
【補正方法】変更
【補正の内容】
【図１】
0003101841.tif 000005
【図２】
0003101841.tif 000006
【手続補正書】
【提出日】平成15年4月8日(2003.4.8)
【手続補正１】
【補正対象書類名】明細書
【補正対象項目名】実用新案登録請求の範囲
【補正方法】変更
【補正の内容】
【実用新案登録請求の範囲】
【請求項１】
・レジ袋（小売店にて買い物をして、商品を入れてくれる袋）
に広告掲載
・ごみ袋に広告掲載
・印刷の色により、燃えるごみ・燃えないごみの分別が一目で
識別可能
・広告掲載により、有料袋のコストダウンが計れる
・印刷により、分別がし易くなり、レジ袋をごみ袋としての利
用ががし易くなる。
【手続補正書】
【提出日】平成15年7月7日(2003.7.7)
【手続補正１】
【補正対象書類名】明細書
【補正対象項目名】実用新案登録請求の範囲
【補正方法】変更
【補正の内容】
【実用新案登録請求の範囲】
【請求項１】
・レジ袋（小売店にて買い物をして、商品を入れてくれる袋）の中央に広告を掲載したレジ袋
・色分けにより、袋の素材が一目で分かり、分別し易く印刷したレジ袋
・印刷により、袋の素材が一目で分かる為、分別ごみの小分けに利用し易くしたレジ袋
・ごみ袋の中央に広告を掲載した、ごみ袋
・ごみ回収が行い易いように、分別ごみの色分けに準じた印刷のごみ袋
・ごみ袋、レジ袋に、分別ごみに準じた色で、広告掲載により、レジ袋の再利用及び、ごみ袋のコストダウンを計る事ができる、レジ袋とごみ袋である
【手続補正書】
【提出日】平成15年10月14日(2003.10.14)
【手続補正１】
【補正対象書類名】明細書
【補正対象項目名】実用新案登録請求の範囲
【補正方法】変更
【補正の内容】
【実用新案登録請求の範囲】
【請求項１】
レジ袋の中央に広告を掲載したレジ袋
【請求項２】
ごみ袋の中央に広告を掲載した、ごみ袋
(57)【要約】      （修正有）【課題】パジャマ自体にめりはりをつけ、えりぐりを見やすく又着やすく直し、なおかつ必要以上の伸びを防ごうとするものである。【解決手段】この考案はパジャマのえりぐり回りに身項の線とちがう布をもちい伸びないようにする。あまり伸びない布としてポリエステルを使用する。【選択図】図１
0003101845.tif 000002
【実用新案登録請求の範囲】
【請求項１】
パジャマのえりぐりに今までとちがう布をもちいたえりぐりが伸びない線の女性用パジャマ
【考案の詳細な説明】
【０００１】
〔考案の属する技術分野〕
この考案は丸首えりなしの前開きボタンのみ、パジャマに使用するもので、身項とちがう伸びない布をもちいたパジャマに間するものである。特に身項は線であるものただし冬物。
【０００２】
〔従来の技術〕
身項と同じ線でえりぐり回りに布を使っているので着用において洗濯したり着たり２、３、度くり返すともうえりぐりが少し伸びた状熊
【０００３】
〔考案が解決しようとする課題〕
今までのは、えりぐりか、失用以上にすぐ伸びて冬は寒く、着用するとだらしなく見える。従ってちがう布、すなわち伸びない布をつける事により伸びを少しでもなくそうとするものである。
【０００４】
〔課題を解決するための手段〕
この考案は、身項が線で冬のパジャマにえりぐりが伸びないことを考えたもの解決するためには布をどんなセンイのものをもちいるかだが手段としては一番にポリエステルが上げられるだがあまり伸びなければ、いろいろ使って見るといい。
【０００５】
〔考案の実施の形熊〕
パジャマのえりぐりが伸なくなった時着用すると感じが良く又身につけると楽しくもなる。
脱いでたたんだ時きれいに形がととのう。
【０００６】
〔実施例〕
以下添付図面に従って簡単に説明する。
１は形どられたパジャマの上部２は肩３はえりぐり回りここの部分伸びない布をつける４は身項の素材５はえりぐり回りにつける布の巾これは目安としてつけ方、めい方は従来通りとする。６ボタン、
〔考案の効果〕
この考案の効果は冬になると寒さを防ぐことは、勿論、伸びないので見やすく、えりぐり回りがととのい今までのより長く着用出来るというもの。
【図面の簡単な説明】
【図１】えりぐりが伸びないようにする線の前ボタン女性用のパジャマの正面図である。
【符号の説明】
１    パジャマの上部
２    肩
３    えりぐり回り
４    身項の素材（線）
５    えりぐりの布の巾１Ｃ
６    ボタン
【図１】
0003101845.tif 000003
【手続補正書】
【提出日】平成15年12月11日(2003.12.11)
【手続補正１】
【補正対象書類名】明細書
【補正対象項目名】全文
【補正方法】変更
【補正の内容】
【実用新案登録請求の範囲】
【請求項１】伸縮性の布により形成した身頃と非伸性の布により形成したえりぐりとからなるパジャマ
【考案の詳細な説明】
【０００１】
〔考案の属する技術分野〕
この考案は丸首えりなし、前開きボタンのみパジャマ使用する特に身頃は伸びる線であるもの。
【０００２】
〔従来の技術〕
身頃とえりぐりか同じ布を使っているので伸びる。
【０００３】
〔考案か解決しようとする課題〕
今までのはえりぐりか失用以上に伸びるので少しでも伸びをなくそうとするものである。
【０００４】
〔課題を解決するための手段〕
ポリエステルの布を使ったら伸びか少ないので手段としては１番に考えられる。
【０００５】
〔考案の実施の形態〕
えりぐりか伸びなくなった時着用すると感じが良く身につけると楽しくもなる
【図面の簡単な説明】
【図１】えりぐりか伸びないようにする線の前ボタン女性用のパジャマの正面図である。
【符号の説明】
１  パジャマの上部
２  肩
３  えりぐり回り
４  身頃の素材（線）
５  えりぐりの布の巾（目やす）
６  ボタン


【手続補正２】
【補正対象書類名】図面
【補正対象項目名】全図
【補正方法】変更
【補正の内容】
【図１】
0003101845.tif 000004
(57)【要約】      （修正有）【課題】サイズを調節出来る指輪の構造を簡単にする。【解決手段】指輪本体を、しなやかに曲がる事のできるベルト部で構成して、その一端にベルト部が挿通可能な開口部を形成したヘッド部を取り付け、ヘッド部に挿通されてきたベルト部のパイプを固定する係合爪を設けた。ヘッド部の開口部にベルト部を挿通しパイプ状部材に係合爪をはめ込むことにより、ベルト部をリング状にする。この時、係合爪を所望する位置のパイプ状部材にはめ込むことで、リング状にしたベルト部の径の大きさを変えることが出来、指輪のサイズを自由に調節することが可能である。【選択図】  なし【実用新案登録請求の範囲】
【請求項１】
（１）
複数のパイプ状部材を平行して配置したベルト部を備え、
このベルト部の一端部にヘッド部を取り付け、
前記ヘッド部に前記ベルト部が挿通可能な開口部を形成すると共に、前記パイプ状部材にはめ込み可能な係合部を設けたことを特徴とするサイズの調節可能な指輪。
【考案の詳細な説明】
【技術分野】
【００１】貴金属装身具
【背景技術】
【００２】従来フリーサイズの指輪は塑性変形を利用した物、スプリングを利用した物、ネジを利用したものや、回転するフックなどであり、加工などが複雑で扱いにくい物であった。
【考案の開示】
【考案が解決しようとする課題】
【００３】本考案は簡単な構造で、しかも扱いやすいサイズ調節可能な指輪を目指した。
【課題を解決するための手段】
【００４】指輪本体を、しなやかに曲がる事のできるベルト部で構成して、その一端にベルト部が挿通可能な開口部を形成したヘッド部を取り付けた。そのヘッド部に挿通されてきたベルト部のパイプを固定する係合爪を設けた。
【考案の効果】
【００５】ヘッド部の開口部にベルト部を挿通しパイプ状部材に係合爪をはめ込むことにより、ベルト部をリング状にする。この時、係合爪を所望する位置のパイプ状部材にはめ込むことで、リング状にしたベルト部の径の大きさを変えることが出来る。これにより指輪のサイズを自由に調節することが可能である。
【考案を実施するための最良の形態】
【００６】しなやかに曲がることのできるベルト部で構成して、その一端にベルト部が挿通可能な開口部を形成したヘッド部に係合爪を設けた指輪。
【実施例】
【００７】以下、図１〜図５に示す実施例により本考案の詳細を説明する。なお、以下に述べる実施例においては同一部分には同一符号を付し、その説明は省略する。
図１は、本考案の指輪である。しなやかに曲がることの出来るベルト部（１）に開口部（３）を設けたヘッド部（２）を取り付けた展開図である。
図２は、任意のサイズにするためにヘッドの開口部にベルト部を挿通させた図である。（４）は係合爪である。
図３は、任意のサイズにあたるベルト部のパイプ状部材を係合爪にはめ込んで固定した図である。
図４は、ヘッド部の裏にある係合爪（４）を示す。
本考案の指輪を装着するには、ベルト部の末端をヘッド部の開口部に上から挿通させて、任意のサイズのベルト部のパイプ状部材を係合爪にはめ込み固定する。このようにして固定された状態で指に装着されると、ベルト部がヘッド部上部より入り末端が内側に来るので、指に装着されている限りはずれることはない。
【図面の簡単な説明】
【００８】
【図１】指輪を展開した平面図。
【図２】ベルト部をヘッド開口部に挿通させた側面図
【図３】ヘッド部にベルト部を挿通させて係合爪に固定した側面図
【図４】ベッド部の裏図
【図５】本考案の指輪の斜視図
【符号の説明】
【００９】（１）ベルト部
（２）ヘッド部
（３）開口部
（４）係合爪
0003101849.tif 000002
0003101849.tif 000003
0003101849.tif 000004
0003101849.tif 000005
【手続補正書】
【提出日】平成15年10月14日(2003.10.14)
【手続補正１】
【補正対象書類名】図面
【補正対象項目名】全図
【補正方法】変更
【補正の内容】
【図１】
0003101849.tif 000006
【図２】
0003101849.tif 000007
【図４】
0003101849.tif 000008
【図５】
0003101849.tif 000009
【手続補正書】
【提出日】平成16年1月14日(2004.1.14)
【手続補正１】
【補正対象書類名】手続補正書
【補正対象項目名】手続補正１
【補正方法】変更
【補正の内容】
【手続補正１】
【補正対象書類名】図面
【補正対象項目名】全図
【補正方法】変更
【補正の内容】
【図１】
0003101849.tif 000010
【図２】
0003101849.tif 000011
【図３】
0003101849.tif 000012
【図４】
0003101849.tif 000013
【図５】
0003101849.tif 000014
(57)【要約】      （修正有）【課題】より便利な使いやすい介護用マットの提供。【解決手段】マットの中央部より足部方向に向かって巾約４０ｃｍの部分が距離４０ｃｍ位移動部ｂを設ける。【効果】本考案のマットを用いればおしめの交換が容易く出来、労力が少なくてすむ。製作は簡単安価である。【図面】なし【実用新案登録請求の範囲】
【請求項１】
手動、又は電動によって中央部より足部方向に向かって巾は約４０ｃｍ、長さはベットの長さの二分の一が移動出来るようになったマット。
【考案の詳細な説明】
【産業上の利用分野】
【０００１】        医療衛生に関するものである。
【０００２】        マットは元来床やベットの上におき、その上に寝て気持ち良い様はかられてきたのである。中に藁や綿、ゼンマイ、プラスティック、スポンジ等を入れて用いられて来た。
【本案が解決しょうとする課題】
【０００３】        マットはその上に寝て気持ちが良い様にいろいろ工夫されて来た。寝たきりになった患者にとってはおしめの交換時には、しばしば不自由なことが多かった。即ちおしめの交換時には介護をする人が患者の腰を持ち上げて交換をしていたのであるが、その労力は大変なものであり、介護人の腰痛がしばしばみられていたのである。そこでこのおむつの交換がより少ない労力で、より簡単に出来ることが求められていたのである。
【０００４】        元来おしめは、患者臀部の皮膚とマットの表面との両者に接し、存在しているのである。そこでそのおむつの交換時には、介護人は患者の腰を持ち上げて、臀部の皮膚とマットの表面との間の空間を拡げて、おむつの交換をするのである。そこで臀部の皮膚とマットの表面との空間を拡げるために、臀部を持ち上げるのであるが、その代わりにマットの表面を下げれば、同じ様な空間を得る事ができるのである．即ちマットの表面を下に下げる様に工夫すれば良いわけである。
【課題を解決するための手段】
【０００５】        おむつの交換時に臀部の表面とマットの表面との空間を拡げるために、臀部をそのままにしておいて、マットの一部に欠損部を作るのである。即ちマットの一部を足部方向にずらして、大きな欠損部を作るのである。マットは初めから矩形の切り込みがあって、外から引っ張れば容易に移動出来る様に設定されているのである。マットに欠損部が出来れば下のベット表面との間の距離は増す事になるのである。即ちマットの欠損部を作れば臀部とベットとの間には広い空間が出来るのである。そしてそのマットに欠損部を作るためには、マットの一部が移動し易い様に工夫を凝らす必要があるのである。
【０００６】    マット欠損部が出来ると臀部表面とベット表面との間に広い空間が出来、その空間を利用すればおむつの交換は容易く行われるのである。
【実施例】
【０００７】    マットの中央部において足部の方向に巾４０ｃｍ長さマットの半分の矩形をきりとると、残ったマットはコの字形＋矩形となる。そして切り取った矩形の部分は移動し易い様に下部および側部に小さい車輪をつける。そして用途に応じて机の引き出しを出し入れするように、出し入れするのである。おしめの交換時には、この切り取った矩形の部分を足部方向に引き出し、中央部に於いて、ベットとの間に広い空間を作るのである。その後おむつの交換を行へば作業が非常に簡単に行うことが出来るのである。
【考案の効果】
【０００８】        本考案のマットを用いればおしめの交換は容易く行われ、労力も少なくてすむ。操作は簡単，製作も簡単、安価である。
【図面の簡単な説明】
【図１】標準型の斜位図
【図２】標準型の側面図
【図３】標準型の水平面図
【図４】分離型の斜位図
【図５】分離型の側面図
【図６】分離型の水平面図
【符号の説明】
Ａ．．．．．．標準型    Ｂ．．．．．．分離型    ａ．．．．．．マット本体    ｂ．．．．．．マット移動部    ｃ．．．．．．マット欠損部    ｄ．．．．．．小車輪    ｅ．．．．．．枠
【図１】
0003101850.tif 000002
【図２】
0003101850.tif 000003
【図３】
0003101850.tif 000004
【図４】
0003101850.tif 000005
【図５】
0003101850.tif 000006
【図６】
0003101850.tif 000007
【手続補正書】
【提出日】平成15年9月25日(2003.9.25)
【手続補正１】
【補正対象書類名】実用新案登録請求の範囲
【補正対象項目名】全文
【補正方法】変更
【補正の内容】
【実用新案登録請求の範囲】
【請求項１】
長方形の短辺の中央部分に於いて長方形の切り込み部分が机の引き出しのように出し入れ自由に移動出来る構造になった介護用ベット。
【手続補正書】
【提出日】平成15年12月8日(2003.12.8)
【手続補正１】
【補正対象書類名】実用新案登録請求の範囲
【補正対象項目名】全文
【補正方法】変更
【補正の内容】
【実用新案登録請求の範囲】
【請求項１】
長方形の短辺の中央部分に長方形の欠損部が設けられた長方形のマット本体（ａ）と前記欠損部に出し入れ自在にスライド装着できるマット移動部（ｂ）とからなる介護ベット。